(57)【要約】【課題】粉体状、粒体状、液体状の内容物を取り出す際に容易に一定量の計量と取り出しが行え、また一定量の取出しが繰り返し行える計量機能付きキャップを提供する。【解決手段】キャップ本体１０は、円筒状の周壁１１の一端に天面板１２が設けられ、天面板には第１の注出口１３が開口し、計量部３０は、側壁３１と傾斜した底面３３を有し、開口した上端が天面板に内側から密着してキャップ本体に装着され、開口した上端は第１の注出口を囲い込む大きさであり、側壁の上端側に流入口３５が開口し、第１の蓋２１は、天面板に装着され、薄肉ヒンジ２３で回動して第１の注出口を開閉自在に封止し、封止部材２５、２６は、第１の蓋部が第１の注出口を封止した状態のときは流入口を封止しない位置となり、第１の蓋部が第１の注出口を開口した状態のときに流入口を封止する位置となる。【選択図】図２
2020019541.tif 000002
【特許請求の範囲】
【請求項１】
キャップ本体と計量部と第１の蓋部とを有する計量機能付きキャップであって、
前記キャップ本体は、円筒状の周壁の一端に天面板が設けられてなり、前記天面板には第１の注出口が開口し、
前記計量部は、側壁と傾斜した底面を有し、開口した上端が前記天面板に内側から密着して前記キャップ本体に装着され、前記開口した上端は前記第１の注出口を囲い込む大きさであり、側壁の上端側に流入口が開口し、
前記第１の蓋部は、前記天面板に装着され、薄肉ヒンジで回動して前記第１の注出口を開閉自在に封止し、
前記第１の蓋部に前記流入口を封止する封止部材が設けられ、前記封止部材は、前記第１の蓋部が前記第１の注出口を封止した状態のときは前記流入口を封止しない位置となり、前記第１の蓋部が前記第１の注出口を開口した状態のときに前記流入口を封止する位置となる様に設けられていることを特徴とする計量機能付きキャップ。
【請求項２】
前記封止部材に、前記流入口を封止したときに前記流入口または前記天面板と嵌合する嵌合構造が設けられていることを特徴とする請求項１に記載の計量機能付きキャップ。
【請求項３】
前記第１の蓋部に、前記天面板と嵌合する嵌合部が設けられていることを特徴とする請求項１または２に記載の計量機能付きキャップ。
【請求項４】
少なくとも前記キャップ本体および前記計量部が透明な部材で構成され、前記計量部または前記キャップ本体に前記計量部の容積を表示する計量目盛りが設けられていることを特徴とする請求項１から３のいずれかに記載の計量機能付きキャップ。
【請求項５】
前記周壁の他端側にネジ条が設けられていることを特徴とする請求項１から４のいずれかに記載の計量機能付きキャップ。
【請求項６】
前記天面板に第２の注出口が開口し、薄肉ヒンジで回動して前記第２の注出口を開閉自在に封止する第２の蓋部を有することを特徴とする請求項１から５のいずれかに記載の計量機能付きキャップ。
【請求項７】
前記第２の蓋部に、前記天面板と嵌合する嵌合部が設けられていることを特徴とする請求項６に記載の計量機能付きキャップ。
【請求項８】
前記第１の注出口と前記第２の注出口の間に、前記周壁の内面同士を連結して天面板から垂下する隔壁が設けられていることを特徴とする請求項６または７に記載の計量機能付きキャップ。
【発明の詳細な説明】
【技術分野】
【０００１】
本発明は、容器に充填された粉体、粒体、液体などの内容物を注出するときに、一定量を計量して注出が可能となる計量機能付きキャップに関する。
に関する。
【背景技術】
【０００２】
ガラス製やプラスチック製のボトルや、プラスチックフィルムを貼り合せて形成した包装袋などに充填された内容物を、１回の使用量を計量して取り出す方法としては、従来から計量スプーンやカップを用意して計量しながら取り出す方法が広く行われていた。しかし計量スプーンやカップを別に用意する手間や、無くさない様に保管する手間がかかることから、これらの用具が不要な、容器自体で内容物の一定量の計量と吐出が可能なボトルや包装袋、あるいは計量機能を有するキャップついて、これまで様々な発明や考案がなされてきた。
【０００３】
例えば特許文献１には、定量振出し機構付き粉末容器が開示され、蓋体から起立する口頸部上端の開口面の前部の振出孔以外の部分を頂板で閉塞して関板を垂下し、口頸部内面に固着した筒部の前部を閉塞する底板と、底板の後端から突出する傾斜板と、補助部材でもって粉体の定量振出し機構を形成している。
【０００４】
しかしながら特許文献１に開示されている様に、計量用空間と収納空間が連通している機構では、内容物が粉体状や粒体状である場合は良いが、内容物が液体状の場合は、計量用空間に収納した内容物を注出する際に収納空間から計量空間に内容物が流れ込んでしまうため適用できないという問題があった。
【０００５】
また、特許文献２には、液状の内容物を収納するスタンディングパウチであって、注出口と収納空間の間に２つの逆止弁機構に挟まれたサブ空間を設けたスタンディングパウチが開示され、パウチの収納空間部分を押して内容物を第１の逆止弁を通してサブ空間に充填し、次いでサブ空間の部分を押すことで第２の逆止弁を通してサブ空間に充填された一定量の内容物をパウチ外部に注出することにより、一定量の内容物の注出が行えるとしている。
【０００６】
しかしながら特許文献２に記載の逆止弁機構は、一旦サブ空間に充填された内容物は戻すことができず、無駄に注出されてしまうことがあるほか、内容物が液体状の場合には有効だが、内容物が粉体状、粒体状である場合には適用が困難であるという問題があった。
【先行技術文献】
【特許文献】
【０００７】
【特許文献１】特開平９−２２６８５７号公報
【特許文献２】特開２０１６−６０５０４号公報
【発明の概要】
【発明が解決しようとする課題】
【０００８】
そこで本発明は、ボトル、包装袋等から、内容物が粉体状または粒体状であっても、あるいは液体状であっても、内容物を取り出す際に容易に一定量の計量が行え、一定量の内容物を取り出すことができ、また同じ操作を繰り返すことで一定量の取出しが繰り返し行える計量機能付きキャップを提供することを課題とする。
【課題を解決するための手段】
【０００９】
上記課題を解決するため、本発明の請求項１に係る発明は、
キャップ本体と計量部と第１の蓋部とを有する計量機能付きキャップであって、
前記キャップ本体は、円筒状の周壁の一端に天面板が設けられてなり、前記天面板には第１の注出口が開口し、
前記計量部は、側壁と傾斜した底面を有し、開口した上端が前記天面板に内側から密着して前記キャップ本体に装着され、前記開口した上端は前記第１の注出口を囲い込む大きさであり、側壁の上端側に流入口が開口し、
前記第１の蓋部は、前記天面板に装着され、薄肉ヒンジで回動して前記第１の注出口を開閉自在に封止し、
前記第１の蓋部に前記流入口を封止する封止部材が設けられ、前記封止部材は、前記第１の蓋部が前記第１の注出口を封止した状態のときは前記流入口を封止しない位置となり、前記第１の蓋部が前記第１の注出口を開口した状態のときに前記流入口を封止する位置となる様に設けられていることを特徴とする計量機能付きキャップである。
【００１０】
また、本発明の請求項２に係る発明は、
前記封止部材に、前記流入口を封止したときに前記流入口または前記天面板と嵌合する嵌合構造が設けられていることを特徴とする請求項１に記載の計量機能付きキャップである。
【００１１】
また、本発明の請求項３に係る発明は、
前記第１の蓋部に、前記天面板と嵌合する嵌合部が設けられていることを特徴とする請求項１または２に記載の計量機能付きキャップである。
【００１２】
また、本発明の請求項４に係る発明は、
少なくとも前記キャップ本体および前記計量部が透明な部材で構成され、前記計量部または前記キャップ本体に前記計量部の容積を表示する計量目盛りが設けられていることを特徴とする請求項１から３のいずれかに記載の計量機能付きキャップである。
【００１３】
また、本発明の請求項５に係る発明は、
前記周壁の他端側にネジ条が設けられていることを特徴とする請求項１から４のいずれかに記載の計量機能付きキャップである。
【００１４】
また、本発明の請求項６に係る発明は、
前記天面板に第２の注出口が開口し、薄肉ヒンジで回動して前記第２の注出口を開閉自在に封止する第２の蓋部を有することを特徴とする請求項１から５のいずれかに記載の計量機能付きキャップである。
【００１５】
また、本発明の請求項７に係る発明は、
前記第２の蓋部に、前記天面板と嵌合する嵌合部が設けられていることを特徴とする請求項６に記載の計量機能付きキャップである。
【００１６】
また、本発明の請求項８に係る発明は、
前記第１の注出口と前記第２の注出口の間に、前記周壁の内面同士を連結して天面板から垂下する隔壁が設けられていることを特徴とする請求項６または７に記載の計量機能付きキャップである。
【発明の効果】
【００１７】
本発明の請求項１に記載の発明によれば、円筒形のキャップ本体の一端に設けられた天面板に第１の注出口が開口し、第１の蓋部が開閉自在に設けられた計量機能付きキャップ
であって、ボトル等の容器に取り付けた場合に、第１の注出口の蓋を閉じて容器を傾けることにより、第１の注出口に内設された計量部に流入口から内容物を流入させ、容器を正立させて計量部の容量に応じて内容物を計量し、第１の蓋を回動して開口させて封止部材で流入口を封止した状態で容器を傾けることで第１の注出口から計量部内の一定量の内容物を注出できる。このとき流入口は封止部材で封止されているため、内容物が粉体や粒体であっても、また液体状で流動性が高いものであっても、注出時に計量部に流入してしまうことがないため、計量された一定量の内容物を安定して注出できる計量機能付きキャップが得られる。
【００１８】
注出後、容器を正立させ、第１の蓋を閉じて再度容器を傾けることで封止部材による封止が解けて開口した流入口から計量部に内容物を再度流入させることができ、以下前述と同様に繰り返すことで、繰り返し一定量の内容物の注出が行える計量機能付きキャップが得られる。
【００１９】
また請求項２に記載の発明によれば、封止部材に流入口または天面板と嵌合する構造が設けられていることにより、流入口の封止がより確実に行え、一定量の内容物の注出がより確実に行われる計量機能付きキャップが得られる。
【００２０】
また請求項３に記載の発明によれば、第１の蓋部に天面板との嵌合部が設けられていることで第１の蓋部と天面板を確実に封止でき、液体などの流動性の高い内容物であっても確実に封止できる計量機能付きキャップが得られる。
【００２１】
また請求項４に記載の発明によれば、透明なキャップ本体および計量部を通して内容物と計量目盛りを透視することができ、計量目盛りにより計量部に流入させる内容物の量を正確に計量して、所望の注出量に応じた内容物を注出することができる計量機能付きキャップが得られる。
【００２２】
また請求項５に記載の発明によれば、ネジ条により、容器の口部に容易に固定できる計量機能付きキャップが得られる。
【００２３】
また請求項６に記載の発明によれば、第２の注出口からは、一定量の計量が不要な場合に、任意の量の内容物を手間なく注出することができる。
【００２４】
また請求項７に記載の発明によれば、第２の蓋部に天面板との嵌合部が設けられていることで第２の蓋部と天面板を確実に封止でき、液体などの流動性の高い内容物であっても確実に封止できる計量機能付きキャップが得られる。
【００２５】
また請求項８に記載の発明によれば、第１の注出口と第２の注出口の間に、隔壁が設けられていることにより、第１、第２の注出口それぞれへの内容物の流動がスムーズに行われる計量機能付きキャップが得られる。
【図面の簡単な説明】
【００２６】
【図１】本発明の計量機能付きキャップの構成部材の一形態の断面図である。
【図２】本発明の計量機能付きキャップの一形態の断面模式図である。
【図３】本発明の計量機能付きキャップを容器の口に嵌める態様の説明図である。
【図４】本発明の計量機能付きキャップに容器から内容物を流入させる態様の模式図である。
【図５】本発明の計量機能付きキャップの第一の注出口を開口して計量部を開口した状態の断面図である。
【図６】計量部を封止する嵌合構造の例を示す図である。
【図７】計量部を開口して内容物を注出する状態の断面図である。
【図８】本発明の計量機能付きキャップの第２の注出口を開口した状態を示す図である。
【図９】第２の注出口から内容物を注出する態様を示す図である。
【発明を実施するための形態】
【００２７】
以下、本発明の実施の形態を、図面を参照しながら詳細に説明する。なお本発明は以下に説明する実施形態に限定されるものではない。なお以下において、同等の部材等には同一の符号を付し、説明を省略することがある。
【００２８】
図１は、本発明の計量機能付きキャップの一形態の構成部材の断面図である。また、図２は、それらの部材を組み合わせた本発明の計量機能付きキャップの一形態の断面模式図である。いずれも円筒形のキャップを直径方向に切断した断面および切断された半分を示した図である。
【００２９】
本発明の計量機能付きキャップ１は、キャップ本体１０と第１の蓋部材２０と計量部３０とを主要部材として構成される。キャップ本体１０は、図１（ｂ）に示す様に、円筒形の周壁１１の一端に天面板１２が設けられ、他端は開口している。天面板１２には第１の注出口１３と第２の注出口１４がそれぞれ弓形に開口している。第２の注出口１４には、薄肉ヒンジ１６で繋がった第２の蓋１５が一体に設けられ、第２の蓋１５が薄肉ヒンジ１６で回動することで第２の注出口１４は開閉自在である。第２の蓋１５の内面側には、第２の開口１４と嵌合する嵌合部材１９が設けられて、蓋を閉じたときの密封性を向上させており、液体状の内容物であっても封止可能となっている。
【００３０】
また第１の注出口１３と第２の注出口１４の間を区画する隔壁１７が設けられている。隔壁１７により、それぞれの注出口から内容物を注出する際に、内容物の流動を制御してスムーズに注出が行える。周壁１１の開口している他端側の内面に、ネジ条１８が設けられ、ボトル等の容器の口部のネジ溝と螺合して容易に取り付けられる。ネジ条のピッチ等は、取り付ける容器に合わせて適宜設定が可能である。
【００３１】
第１の蓋部材２０は、第１の注出口１３を開閉自在とするためキャップ本体１０に取り付けられ、第１の蓋２１と台座２２が薄肉ヒンジ２３を介して連結されている。台座２２には、天面板１２に取り付けるための嵌め込み部２４が設けられ、天面板１２の対応する部位には同じく取付部１２１が設けられている。第１の蓋２１には、内面側に弧状に伸びるアーム２５とその先端に設けられた封止板２６からなる封止部材が設けられている。また第１の蓋２１の内面側には、第１の注出口１３と嵌合する嵌合部２８が設けられており、蓋を閉じたときの密封性を高め、液体状の内容物であっても封止可能となっている。
【００３２】
計量部３０は、キャップ本体１０の周壁１１に沿った側壁３１と、周壁１１に面していない側壁３２とが連続して略半円形の筒状になっており、周壁１１に面していない側壁３２側が高くなる様に傾斜した底面３３を有している。底面３３が傾斜していることにより、例えば粉体状の内容物を注出する際に計量部３０に内容物が残留するのを防ぐことができる。上端は開口３４となっており、上端を第１の注出口１３に向けてキャップ本体１０の内側から天面板１２に密着して嵌合部３６でキャップ本体１０の図示しない嵌合溝と嵌合して装着され、周壁に面していない側壁３２の上端側に流入口３５が開口している。上端の開口３４は第１の注出口１３よりも大きく、第１の注出口１３を囲い込む大きさとなっている。
【００３３】
これらの部材を組み合わせて計量機能付きキャップ１とする。図２は第１の蓋２１、第２の蓋１５を閉じた状態の断面図である。このとき、第１の蓋部材２０から伸びるアーム２５は計量部３０の流入口３５を通過しているが、封止板２６は流入口３５を封止してお
らず、流入口３５はアーム２５以外の部分は開口しているため、計量部３０はキャップ本体１０の内側部分と連通している。
【００３４】
本発明の計量機能付きキャップ１は、図３に示す様に、周壁１１の他端側に設けたネジ条１８により、ボトル４０などの口部に設けられたネジ条４１と螺合させることで、ボトル４０などの口部に取り付けることができる。すなわち本発明の計量機能付きキャップ１は、取り付けるボトル等に合わせ、キャップ本体１０の直径や高さ、ネジ条１８のピッチや形状を適宜設定して構成することができる。
【００３５】
次に、本発明の計量機能付きキャップ１で内容物を計量して注出する動作について説明する。図４は、本発明の計量機能付きキャップに容器から内容物を流入させる態様の模式図である。なお図４では見易さのため一部の部材を省略して示している。本実施形態の計量機能付きキャップ１を、ボトル４０の口部に螺合して取り付けた態様を示している。またキャップ本体１０および計量部３０が透明な素材で構成され、計量部３０に計量目盛り３８が表示されている。第１の蓋２１が閉じられた状態でボトル４０を第１の蓋２１が下になる方向に適当な角度で傾けることで、粉体、粒体、液体などの形態の内容物は口部を通って本発明の計量機能付きキャップ１に流入する。そして、計量部３０の開口している流入口３５から計量部３０内に流入する。
【００３６】
流入した内容物３７の量は、計量目盛り３８により量目を容器外側から目視にて計測することができ、必要な分量が流入したならばボトル４０を正立させ、流入を停止する。なお、所望の量よりも余計に流入してしまった場合は、ボトル４０を反対方向に傾けて、流入口３５から余分な量の内容物をボトル４０に戻すことができる。
【００３７】
計量部３０に所定量の内容物３７が計量されたならば、ボトル４０を正立させ、図５に示す様に第１の蓋２１を開け、封止部材の封止板２６が流入口３５を封止した状態として、図６のようにボトル４０を第１の注出口１３が下になる方向に傾けることで、計量部３０に計量された内容物３７を注出する。このとき、ボトル４０が傾けられることにより、ボトル４０からは新たな内容物がキャップ本体１０に流入するが、流入口３５が封止板２６により封止されているため、計量部に新たな内容物が流入してしまうことはない。従って計量された量の内容物３７を注出することができる。
【００３８】
封止板２６による流入口３５の封止をより確実なものとするため、封止板２６に流入口３５または天面板１２と嵌合する嵌合構造を設けることができる。図７は嵌合構造を例示したもので、例えば図７（ａ）に示す様に、封止板２６に流入口３５の縁に嵌合する稜部２７を設けることができる。第１の蓋２１を開けたときに稜部２７を流入口３５に嵌合させることで、封止板２６による流入口３５の封止が確実に行われて外れ難く、計量部３０からの注出作業中に流入口３５から内容物が漏れ入ることがない。
【００３９】
また図７（ｂ）に例示したように、アーム２５に凸部２９を設け、第１の蓋２１を開いたときに天面板１２の第１の注出口１３の縁１２２が凸部２９を乗り越えることで嵌合し、アーム２５が逆方向に戻り難くなり、封止板２６が流入口３５を封止した状態を保持することができる。また凸部２９を乗り越えるときに、クリック感を生じるため、確実に流入口３５が封止されたことが使用者に容易に分かる効果も得られる。なお嵌合構造は上記の例に限定されるものではなく、同様の効果を生じるものであれば他の形態であっても良い。
【００４０】
図８は、本発明の計量機能付きキャップ１の第２の蓋１５を開け、第２の注出口１４を開口した態様である。第２の注出口１４はキャップ本体１０の他端の開口にそのまま連通しており、キャップ本体１０がボトル等の容器に取り付けられた場合は容器に連通する。
従って、第２の注出口１４からは、特に計量することなく任意の量の内容物を手間なく注出することができる。すなわち図９に示す様に、ボトル４０に取り付けられたとき、第２の蓋１５を開け、第２の注出口１４が下側となる向きに倒すことで、ボトル４０から任意の量の内容物を注出することができる。またこのとき隔壁１７があることにより、内容物の流動が制御され、想定以上の内容物が噴出してしまうことがない。
【００４１】
本発明の計量機能付きキャップ１の各構成部材は、熱可塑性樹脂、例えば、ポリエチレン（ＰＥ）、ポリプロピレン（ＰＰ）、ポリエチレンテレフタレート（ＰＥＴ）、ポリスチレン（ＰＳ）、ポリカーボネート（ＰＣ）、アクリロニトリル−ブタジエン−スチレン（ＡＢＳ）等の中から適宜、選択される樹脂を用いて、射出成形、ブロー成形、シート成形等の成形方法によって、それぞれの形態に成形することができる。
【００４２】
以上説明したように、本発明の計量機能付きキャップによれば、内容物が粉体や粒体であっても、また液体状で流動性が高いものであっても、注出時に計量部に流入してしまうことがなく、計量された一定量の内容物を繰り返し安定して注出できる計量機能付きキャップが得られる。
【符号の説明】
【００４３】
１・・・計量機能付きキャップ
１０・・・キャップ本体
１１・・・周壁
１２・・・天面板
１２１・・・取付部
１２２・・・縁
１３・・・第１の注出口
１４・・・第２の注出口
１５・・・第２の蓋
１６、２３・・・薄肉ヒンジ
１７・・・隔壁
１８・・・ネジ条
１９・・・嵌合部材
２０・・・第１の蓋部材
２１・・・第１の蓋
２２・・・台座
２４・・・嵌め込み部
２５・・・アーム
２６・・・封止板
２７・・・稜部
２８・・・嵌合部
２９・・・凸部
３０・・・計量部
３１・・・側壁
３２・・・周壁に面していない側壁
３３・・・底面
３４・・・開口
３５・・・流入口
３６・・・嵌合部
３７・・・内容物
３８・・・計量目盛り
４０・・・ボトル
４１・・・ネジ条
【図１】
2020019541.tif 000003
【図２】
2020019541.tif 000004
【図３】
2020019541.tif 000005
【図４】
2020019541.tif 000006
【図５】
2020019541.tif 000007
【図６】
2020019541.tif 000008
【図７】
2020019541.tif 000009
【図８】
2020019541.tif 000010
【図９】
2020019541.tif 000011